(57)【特許請求の範囲】
【請求項１】
裏面に両面テープ（２）が貼設された発泡板（１）に両者を貫通する形で所定の図柄に沿って切れ込み（４）を入れて型抜きボード（３）を作り、
次に、この図柄に対応する両面テープ部分のみその剥離紙を剥がして前記型抜きボードを基板（５）に貼り付け、
その後、可撓性のある帯材（６）を前記型抜きボードの切れ込みに押し込み、
次いで、前記帯材で包囲された型抜きボード部分に着色塗料を塗布し、
最後に、前記型抜きボードの残部を取り去るようにしたことを特徴とする帯材装飾板の製作方法。
【請求項２】
裏面に両面テープ（２）が貼設された発泡板（１）に両者を貫通する形で所定の図柄に沿って切れ込み（４）を入れて型抜きボード（３）を作り、
次に、可撓性のある帯材（６）を前記型抜きボードの切れ込みに押し込み、
その後、前記帯材で包囲された型抜きボード部分に着色塗料を塗布し、
最後に、この型抜きボード部分を前記帯材とともに抜き取り、その剥離紙を剥がして基板（５）に貼り付けるようにしたことを特徴とする帯材装飾板の製作方法。
【請求項３】
帯材（６）同士の交差部で帯材の端部を折り曲げて内側に回り込ませるようにしたことを特徴とする請求項１または請求項２に記載の帯材装飾板の製作方法。
【発明の詳細な説明】
【０００１】
【発明の属する技術分野】
本発明は、任意の図柄の輪郭に帯材を立設して立体感を付与しうる帯材装飾板の製作方法に関するものである。
【０００２】
【発明が解決しようとする課題】
従来、この種の帯材装飾板の製作は熟練を要していた。
本発明は、このような事情に鑑み、熟練者でなくても簡単に帯材装飾板を製作することができる帯材装飾板の製作方法を提供することを目的とする。
【０００３】
【課題を解決するための手段】
まず、本発明のうち請求項１に係る発明は、裏面に両面テープ（２）が貼設された発泡板（１）に両者を貫通する形で所定の図柄に沿って切れ込み（４）を入れて型抜きボード（３）を作り、次に、この図柄に対応する両面テープ部分のみその剥離紙を剥がして前記型抜きボードを基板（５）に貼り付け、その後、可撓性のある帯材（６）を前記型抜きボードの切れ込みに押し込み、次いで、前記帯材で包囲された型抜きボード部分に着色塗料を塗布し、最後に、前記型抜きボードの残部を取り去るようにして構成される。
【０００４】
こうした構成を採用することにより、着色塗料で図柄に着色した後、不要な型抜きボード部分を簡単に取り除いて帯材装飾板（７）を仕上げることが可能となる。
【０００５】
また、本発明のうち請求項２に係る発明は、裏面に両面テープ（２）が貼設された発泡板（１）に両者を貫通する形で所定の図柄に沿って切れ込み（４）を入れて型抜きボード（３）を作り、次に、可撓性のある帯材（６）を前記型抜きボードの切れ込みに押し込み、その後、前記帯材で包囲された型抜きボード部分に着色塗料を塗布し、最後に、この型抜きボード部分を前記帯材とともに抜き取り、その剥離紙を剥がして基板（５）に貼り付けるようにして構成される。
【０００６】
こうした構成を採用することにより、着色塗料で図柄に着色した後、必要な型抜きボード部分のみを基板に貼り付けて帯材装飾板（７）を仕上げることが可能となる。
【０００７】
さらに、本発明のうち請求項３に係る発明は、上記帯材（６）同士の交差部で帯材の端部を折り曲げて内側に回り込ませるようにして構成される。かかる構成により、着色塗料が図柄の外部へ漏れる恐れがなくなる。
【０００８】
なお、括弧内の符号は図面において対応する要素を表す便宜的なものであり、したがって、本発明は図面上の記載に限定拘束されるものではない。このことは「特許請求の範囲」の欄についても同様である。
【０００９】
【発明の実施の形態】
以下、本発明の実施形態を図面に基づいて説明する。
【００１０】
＜第１の実施形態＞
図１は本発明に係る帯材装飾板の製作方法の第１の実施形態を示す工程図、
図２は帯材の代表例を示す正面図、
図３は帯材の交差部を示す斜視図である。
【００１１】
この帯材装飾板の製作方法は次の手順による。
【００１２】
まず、図１（ａ）に示すように、発泡ポリスチレンなどの軟質発泡樹脂からなる厚さ５ｍｍ程度の発泡板１の裏面全体に両面テープ２を貼った後、図１（ｂ）に示すように、発泡板１と両面テープ２の両方を貫通する形で所定の図柄（例えば、チューリップの花）に沿って切れ込み４を入れて型抜きボード３を作る。
【００１３】
次に、この図柄に対応する両面テープ２部分のみその剥離紙を剥がし、図１（ｃ）に示すように、陶磁器、アクリル板、木材、厚紙などからなる厚さ３ｍｍ程度の基板５にこの型抜きボード３を貼り付ける。すると、型抜きボード３は、図柄に対応する部分が基板５に接着され、それ以外の部分は基板５に接着されていない状態（単に当接している状態）となる。
【００１４】
その後、図１（ｄ）に示すように、可撓性のある合成樹脂（例えば、ポリプロピレン、ポリエチレン）、紙などからなる幅８ｍｍ程度の帯材６を型抜きボード３の切れ込み４に奥まで（基板５に達するまで）押し込む。この帯材６としては、図２に示すように、様々な形状のものを使うことができる。また、帯材６同士が交差する箇所では、図３に示すように、片方の帯材６の端部を折り曲げて内側に回り込ませる。
【００１５】
次いで、帯材６で包囲された型抜きボード３部分（例えば、花弁、茎、葉）にベース塗料を目止め材として流し込んで塗布し、さらに所望の色の着色塗料をその上に流し込で塗布する。このベース塗料としては、例えばアクリル系エマルジョンなどを使うことができ、着色塗料としては、例えばアクリル系エマルジョンに染料や顔料を分散したものを用いることができる。このようにベース塗料および着色塗料を流し込んでも、帯材６同士の交差部では帯材６の端部が内側に回り込んでいるので、ベース塗料や着色塗料が図柄の外部へ漏れる心配はない。
【００１６】
最後に、図１（ｅ）に示すように、型抜きボード３の残部（図柄の周囲）を基板５から取り去る。このとき、この型抜きボード３の残部は基板５に接着されていないので、簡単に取り去ることができる。また、ベース塗料や着色塗料が接着剤として機能するため、型抜きボード３の残部を取り去っても帯材６が倒れる恐れはない。
【００１７】
すると、帯材装飾板７が出来上がるので、熟練者でなくても簡単に帯材装飾板７を製作することが可能となる。
【００１８】
なお、上述した第１の実施形態では、型抜きボード３を基板５に貼り付ける作業を行った後、切れ込み４に帯材６を押し込んで内部に着色塗料を塗布する作業を行う場合について説明したが、両作業の順序を逆転させることも可能である。以下、第２の実施形態として、切れ込み４に帯材６を押し込んで内部に着色塗料を塗布する作業を行った後、型抜きボード３を基板５に貼り付ける作業を行う場合について説明する。
【００１９】
＜第２の実施形態＞
図４は本発明に係る帯材装飾板の製作方法の第２の実施形態を示す工程図である。
【００２０】
この帯材装飾板の製作方法は次の手順による。
【００２１】
まず、図４（ａ）に示すように、発泡ポリスチレンなどの軟質発泡樹脂からなる厚さ５ｍｍ程度の発泡板１の裏面全体に両面テープ２を貼った後、発泡板１と両面テープ２の両方を貫通する形で所定の図柄（例えば、３つのハート図形）に沿って切れ込み４を入れて型抜きボード３を作る。
【００２２】
その後、可撓性のある帯材６を型抜きボード３の切れ込み４に奥まで押し込む。このとき、下敷き（図示せず）を使うと確実に奥まで押し込むことができる。
【００２３】
次いで、帯材６で包囲された型抜きボード３部分（例えば、ハート図形の内側）にベース塗料を目止め材として流し込んで塗布し、さらに所望の色の着色塗料をその上に流し込で塗布する。
【００２４】
最後に、図４（ｂ）に示すように、各型抜きボード３部分を帯材６とともに抜き取る。このとき、ベース塗料や着色塗料が接着剤として機能するため、型抜きボード３部分を抜き取っても帯材６が倒れる恐れはない。そして、各型抜きボード３部分の剥離紙を剥がして基板５上の任意の位置に貼り付ける。
【００２５】
すると、帯材装飾板７が出来上がるので、熟練者でなくても簡単に帯材装飾板７を製作することが可能となる。
【００２６】
＜その他の実施形態＞
また、上述の実施形態においては、発泡板１に両面テープ２を貼る場合について説明したが、予め両面テープ２が裏面に貼設された発泡板１があればそれを代用してもよいことは勿論である。
【００２７】
さらに、上述の実施形態では着色塗料の下地にベース塗料を塗布する場合について説明したが、このベース塗料は必ずしも塗布する必要はなく、帯材６で包囲された型抜きボード３部分に着色塗料を直接塗布しても構わない。
【００２８】
【発明の効果】
以上説明したように、本発明のうち請求項１に係る発明によれば、裏面に両面テープが貼設された発泡板に両者を貫通する形で所定の図柄に沿って切れ込みを入れて型抜きボードを作り、次に、この図柄に対応する両面テープ部分のみその剥離紙を剥がして前記型抜きボードを基板に貼り付け、その後、可撓性のある帯材を前記型抜きボードの切れ込みに押し込み、次いで、前記帯材で包囲された型抜きボード部分に着色塗料を塗布し、最後に、前記型抜きボードの残部を取り去るようにして構成したので、着色塗料で図柄に着色した後、不要な型抜きボード部分を簡単に取り除いて帯材装飾板を仕上げられることから、熟練者でなくても簡単に帯材装飾板を製作しうる帯材装飾板の製作方法を提供することができる。
【００２９】
また、本発明のうち請求項２に係る発明によれば、裏面に両面テープが貼設された発泡板に両者を貫通する形で所定の図柄に沿って切れ込みを入れて型抜きボードを作り、次に、可撓性のある帯材を前記型抜きボードの切れ込みに押し込み、その後、前記帯材で包囲された型抜きボード部分に着色塗料を塗布し、最後に、この型抜きボード部分を前記帯材とともに抜き取り、その剥離紙を剥がして基板に貼り付けるようにして構成したので、着色塗料で図柄に着色した後、必要な型抜きボード部分のみを基板に貼り付けて帯材装飾板を仕上げられることから、熟練者でなくても簡単に帯材装飾板を製作しうる帯材装飾板の製作方法を提供することができる。
【００３０】
また、本発明のうち請求項３に係る発明によれば、上記帯材同士の交差部で帯材の端部を折り曲げて内側に回り込ませるようにして構成したので、着色塗料が図柄の外部へ漏れる恐れがなくなるため、製作上の失敗がなくなる。
【図面の簡単な説明】
【図１】本発明に係る帯材装飾板の製作方法の第１の実施形態を示す工程図である。
【図２】帯材の代表例を示す正面図である。
【図３】帯材の交差部を示す斜視図である。
【図４】本発明に係る帯材装飾板の製作方法の第２の実施形態を示す工程図である。
【符号の説明】
１……発泡板
２……両面テープ
３……型抜きボード
４……切れ込み
５……基板
６……帯材
７……帯材装飾板
【図１】
0003546874.tif 000002
【図２】
0003546874.tif 000003
【図３】
0003546874.tif 000004
【図４】
0003546874.tif 000005